(57)【要約】【課題】データ送信装置において、様々な仕様のデータ受信装置が確実にデータを出力するためのデータを送信することである。【解決手段】ＨＤＭＩケーブルによりディスプレイ装置３０に接続されるＡＶアンプ１０であって、ディスプレイ装置３０からのホットプラグ出力信号がハイレベルとローレベルとの間を遷移したときのハイレベルからローレベルへの遷移回数又はローレベルからハイレベルへの遷移回数をカウントするカウント処理部１２２と、ホットプラグ出力信号がハイレベルのときに映像データと音声データとの少なくとも一方を含むデータ信号をディスプレイ装置３０に送信する送信処理部１２６と、を備え、送信処理部１２６は、遷移回数が閾値以上であるときにデータ信号の代わりの代替データ信号をディスプレイ装置３０に送信する。【選択図】図１
2014045394.tif 000002
【特許請求の範囲】
【請求項１】
伝送インターフェースによりデータ受信装置に接続されるデータ送信装置であって、
前記データ受信装置からの接続確認信号がハイレベルとローレベルとの間を遷移したときの前記ハイレベルから前記ローレベルへの遷移回数又は前記ローレベルから前記ハイレベルへの遷移回数をカウントするカウント処理部と、
前記接続確認信号が前記ハイレベルのときに映像データと音声データとの少なくとも一方を含むデータ信号を前記データ受信装置に送信する送信処理部と、
を備え、
前記送信処理部は、前記遷移回数が閾値以上であるときに前記データ信号の代わりの代替データ信号を前記データ受信装置に送信することを特徴とするデータ送信装置。
【請求項２】
請求項１に記載のデータ送信装置において、
前記データ受信装置からの装置情報に基づいて、前記データ受信装置が所定の仕様品に該当するか否かを照合する照合処理部をさらに備え、
前記送信処理部は、前記照合により前記データ受信装置が前記所定の仕様品に該当すると判断されたときに前記代替データ信号を送信することを特徴とするデータ送信装置。
【請求項３】
請求項１または請求項２に記載のデータ送信装置において、
前記伝送インターフェースは、ＨＤＭＩであり、
前記接続確認信号は、ホットプラグ出力信号であることを特徴とするデータ送信装置。
【請求項４】
伝送インターフェースによりデータ受信装置に接続され、プロセッサとメモリとを含むデータ送信装置に、
前記データ受信装置からの接続確認信号がハイレベルとローレベルとの間を遷移したときの前記ハイレベルから前記ローレベルへの遷移回数又は前記ローレベルから前記ハイレベルへの遷移回数を前記プロセッサがカウントしたカウント値を前記メモリに記憶する第１手順と、
前記接続確認信号が前記ハイレベルのときに映像データと音声データとの少なくとも一方を含むデータ信号を前記プロセッサが前記データ受信装置に送信する第２手順と、
前記プロセッサが所定のタイミングで前記メモリにアクセスして前記カウント値を読み出し、前記カウント値が閾値以上であるときに、前記データ信号の代わりの代替データ信号を前記データ受信装置に送信する第３手順と、
を実行させるためのデータ送信プログラム。
【請求項５】
請求項４に記載のデータ送信プログラムにおいて、
前記プロセッサが前記データ受信装置からの装置情報に基づいて、前記データ受信装置が所定の仕様品に該当するか否かを照合する第４手順と、
前記照合によって前記データ受信装置が前記所定の仕様品に該当すると判断されたときに前記プロセッサが前記代替データ信号を送信する第５手順と、
を実行させるためのデータ送信プログラム。
【請求項６】
請求項４または請求項５に記載のデータ送信プログラムにおいて、
前記伝送インターフェースは、ＨＤＭＩであり、
前記接続確認信号は、ホットプラグ出力信号であることを特徴とするデータ送信プログラム。
【発明の詳細な説明】
【技術分野】
【０００１】
本発明は、デジタル伝送インターフェースにより映像データ及び音声データを送信するデータ送信装置及びデータ送信プログラムに関する。
【背景技術】
【０００２】
近年、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に準拠したＢＤ（Ｂｌｕ−ｒａｙ  Ｄｉｓｃ）プレーヤと、ＡＶアンプと、ディスプレイ装置とを備えるデータ送受信システムが利用されている。ＡＶアンプは、ＢＤプレーヤから出力される映像データ及び音声データを受け取ってディスプレイ装置にそのデータを送信し、ディスプレイ装置はＡＶアンプからの映像データ及び音声データを受信し、映像及び音声として出力する。
【０００３】
データ送受信システムのデータ送信装置として、例えば、特許文献１には、データ受信装置のＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を判別するＥＤＩＤ読出判別部と、ＥＤＩＤ情報の判別結果からデータ受信装置の種類を判別する機種判別部とを備えるデータ送信装置が開示されている。このデータ送信装置は、複数のＴＭＤＳ（Ｔｒａｎｓｔｉｏｎ  Ｍｉｎｉｍｉｚｅｄ  Ｄｉｆｆｅｒｅｎｔｉａｌ  Ｓｉｇｎａｌｉｎｇ）信号出力方式のうちデータ受信装置の種類に応じた出力方式を指定するＴＭＤＳ切替部と、指定された出力方式に従ってＴＭＤＳ信号を出力するＴＭＤＳ出力部とをさらに備えることが開示されている。
【先行技術文献】
【特許文献】
【０００４】
【特許文献１】特開２００９−７１５８７号公報
【発明の概要】
【発明が解決しようとする課題】
【０００５】
ところで、データ送信装置とデータ受信装置とがＨＤＭＩケーブルによって接続されている状態で、データ送信装置からデータ受信装置に接続確認用電圧が供給されると、データ受信装置からデータ送信装置に対してハイレベルのホットプラグ出力信号が出力される。そして、データ送信装置がこのホットプラグ出力信号のハイレベルを検知すると、データ送信装置とデータ受信装置との接続が確認され、データ送信装置からデータ受信装置へのデータ送信がなされる。しかしながら、データ受信装置には、様々な仕様品があり、上記ホットプラグ出力信号をハイレベルにした後、所定の時間（例えば、３秒間）内にデータ送信装置からの映像データ及び音声データが受信できない場合に上記ホットプラグ出力信号をローレベルとし、その後、所定の時間（例えば、４秒間）経過後に再びハイレベルに戻す処理を繰り返すような仕様の装置がある。
【０００６】
データ受信装置がこのような仕様品である場合に、上記ホットプラグ出力信号がハイレベルとなっている所定の時間内にデータ受信装置が映像データ及び音声データを受信できなければ、データ受信装置は映像データ及び音声データを全く出力することができない。このため、例えば、データ受信装置の表示部には映像が全く表示されない状態が続いてしまう可能性がある。
【０００７】
本発明の目的は、様々な仕様のデータ受信装置が確実にデータを出力するためのデータを送信するデータ送信装置を提供することである。
【課題を解決するための手段】
【０００８】
本発明に係るデータ送信装置は、伝送インターフェースによりデータ受信装置に接続されるデータ送信装置であって、前記データ受信装置からの接続確認信号がハイレベルとローレベルとの間を遷移したときの前記ハイレベルから前記ローレベルへの遷移回数又は前記ローレベルから前記ハイレベルへの遷移回数をカウントするカウント処理部と、前記接続確認信号が前記ハイレベルのときに映像データと音声データとの少なくとも一方を含むデータ信号を前記データ受信装置に送信する送信処理部と、を備え、前記送信処理部は、前記遷移回数が閾値以上であるときに前記データ信号の代わりの代替データ信号を前記データ受信装置に送信することを特徴とする。
【０００９】
本発明に係るデータ送信装置において、前記データ受信装置からの装置情報に基づいて、前記データ受信装置が所定の仕様品に該当するか否かを照合する照合処理部をさらに備え、前記送信処理部は、前記照合により前記データ受信装置が前記所定の仕様品に該当すると判断されたときに前記代替データ信号を送信することが好ましい。
【００１０】
本発明に係るデータ送信装置において、前記伝送インターフェースは、ＨＤＭＩであり、前記接続確認信号は、ホットプラグ出力信号であることが好ましい。
【００１１】
本発明に係るデータ送信プログラムは、伝送インターフェースによりデータ受信装置に接続され、プロセッサとメモリとを含むデータ送信装置に、前記データ受信装置からの接続確認信号がハイレベルとローレベルとの間を遷移したときの前記ハイレベルから前記ローレベルへの遷移回数又は前記ローレベルから前記ハイレベルへの遷移回数を前記プロセッサがカウントしたカウント値を前記メモリに記憶する第１手順と、前記接続確認信号が前記ハイレベルのときに映像データと音声データとの少なくとも一方を含むデータ信号を前記プロセッサが前記データ受信装置に送信する第２手順と、前記プロセッサが所定のタイミングで前記メモリにアクセスして前記カウント値を読み出し、前記カウント値が閾値以上であるときに、前記データ信号の代わりの代替データ信号を前記データ受信装置に送信する第３手順と、を実行させることを特徴とする。
【００１２】
本発明に係るデータ送信プログラムにおいて、前記プロセッサが前記データ受信装置からの装置情報に基づいて、前記データ受信装置が所定の仕様品に該当するか否かを照合する第４手順と、前記照合によって前記データ受信装置が前記所定の仕様品に該当すると判断されたときに前記プロセッサが前記代替データ信号を送信する第５手順と、を実行させることが好ましい。
【００１３】
本発明に係るデータ送信プログラムにおいて、前記伝送インターフェースは、ＨＤＭＩであり、前記接続確認信号は、ホットプラグ出力信号であることが好ましい。
【発明の効果】
【００１４】
本発明によれば、データ送信装置は、接続確認信号がハイレベルとローレベルとの間を遷移したときの遷移回数をカウントし、そのカウント値が閾値以上のときは、映像データと音声データとの少なくとも一方を含むデータ信号の代わりの代替データ信号をデータ受信装置に送信する。これにより、データ受信装置が確実にデータを出力することができる。
【図面の簡単な説明】
【００１５】
【図１】本発明に係る実施形態のデータ送信装置（ＡＶアンプ）を含むデータ送受信システムの全体構成を示すブロック図である。
【図２】本発明に係る実施形態のデータ送信装置（ＡＶアンプ）からのデータを受信するディスプレイ装置におけるホットプラグ出力信号の出力制御処理についてのフローチャートである。
【図３】本発明に係る実施形態におけるデータ送信装置（ＡＶアンプ）におけるＨＤＭＩデータ信号の送信処理を説明するフローチャートである。
【図４】本発明に係る実施形態のデータ送信装置（ＡＶアンプ）からのデータを受信するディスプレイ装置が受信する代替ＴＭＤＳデータ信号ＤALT又はＴＭＤＳデータ信号ＤTRUEと、ＢＤプレーヤが受信するホットプラグ出力信号と、表示部の出力との関係を示すタイミングチャートである。
【発明を実施するための形態】
【００１６】
以下に、本発明に係る実施形態について添付図面を参照しながら詳細に説明する。
【００１７】
［全体構成］
図１は、本発明に係る実施形態のＡＶアンプ（データ送信装置）１０を含むデータ送受信システム８の全体構成を示すブロック図である。データ送受信システム８は、映像データ及び音声データをＡＶアンプ１０へ供給するＢＤプレーヤ２０と、ＢＤプレーヤ２０から供給された映像データ及び音声データをディスプレイ装置３０へ送信するＡＶアンプ１０と、ＡＶアンプ１０から送信された映像データ及び音声データを受信するディスプレイ装置（データ受信装置）３０とを備え、これらはＨＤＭＩケーブルを介して接続されている。ＢＤプレーヤ２０はコネクタ２１を介してＡＶアンプ１０のコネクタ（入力端子）１１に接続され、ディスプレイ装置３０はコネクタ３１を介してＡＶアンプ１０のコネクタ（出力端子）１４に接続されている。
【００１８】
［ＡＶアンプ１０の構成］
ＡＶアンプ１０は、ＨＤＭＩ規格に準拠した機器であり、ＢＤプレーヤ２０からのＨＤＭＩデータを受け取り、ディスプレイ装置３０へＨＤＭＩデータを送信するデータ送信装置である。ＡＶアンプ１０は、コネクタ１１，１４と、アンプ送受信制御部１２と、接続確認用電源部１３とを備えている。
【００１９】
ＡＶアンプ１０は、ＨＤＭＩのラインとして、ホットプラグライン１５ａ，１５ｂ、ＤＤＣ（Ｄｉｓｐｌａｙ  Ｄａｔａ  Ｃｈａｎｎｅｌ）ライン１６ａ，１６ｂ、ＴＭＤＳライン１７ａ，１７ｂ、及び、接続確認電圧用ライン１８ａ，１８ｂを有する。
【００２０】
ホットプラグライン１５ａ，１５ｂは、それぞれ、ＨＤＭＩケーブルのホットプラグラインを介して、ＢＤプレーヤ２０のホットプラグライン２５及びディスプレイ装置３０のホットプラグライン３５に接続可能である。ＤＤＣライン１６ａ，１６ｂは、それぞれ、ＨＤＭＩケーブルのＤＤＣラインを介して、ＢＤプレーヤ２０のＤＤＣライン２６及びディスプレイ装置３０のＤＤＣライン３６に接続可能である。ＴＭＤＳライン１７ａ，１７ｂは、それぞれ、ＨＤＭＩケーブルのＴＭＤＳラインを介して、ＢＤプレーヤ２０のＴＭＤＳライン２７及びディスプレイ装置３０のＴＭＤＳライン３７に接続可能である。接続確認電圧用ライン１８ａ，１８ｂは、それぞれ、ＨＤＭＩケーブルの接続確認電圧用ラインを介して、ＢＤプレーヤ２０の接続確認電圧用ライン２８及びディスプレイ装置３０の接続確認電圧用ライン３８に接続可能である。
【００２１】
ホットプラグライン１５ａは、ＡＶアンプ１０からＢＤプレーヤ２０へのホットプラグ出力信号（接続確認信号）を送信するラインである。ホットプラグライン１５ｂは、ディスプレイ装置３０からＡＶアンプ１０へのホットプラグ出力信号（接続確認信号）を受信するラインである。
【００２２】
ＤＤＣライン１６ａは、ＡＶアンプ１０及びディスプレイ装置３０に関する装置情報（認証情報、ＥＤＩＤ情報）を送信するラインである。ＤＤＣライン１６ｂは、ディスプレイ装置３０に関する装置情報（認証情報、ＥＤＩＤ情報）を受信するラインである。なお、ＤＤＣラインは、通常、データラインとクロックラインとが存在するが、説明の簡単化のために１つのラインのみを記載する。
【００２３】
ＴＭＤＳライン１７ａは、ＢＤプレーヤ２０から供給されるＴＭＤＳデータ信号ＤTRUEを受け取るラインである。ＴＭＤＳライン１７ｂは、ディスプレイ装置３０にＴＭＤＳデータ信号ＤTRUE又は代替ＴＭＤＳデータＤALTを送信するラインである。なお、ＴＭＤＳラインは、通常、複数のラインが存在するが、説明の簡単化のために１つのラインのみを記載する。
【００２４】
接続確認電圧用ライン１８ａは、ＢＤプレーヤ２０から供給される接続確認用電圧を受け取るラインである。接続確認電圧用ライン１８ｂは、接続確認用電源部１３から受け取った接続確認用電圧をディスプレイ装置３０に供給するラインである。
【００２５】
アンプ送受信制御部１２は、プロセッサ１２１と、プログラムメモリ１２３と、ワーキングメモリ１２５とを含んで構成される。アンプ送受信制御部１２では、プログラムメモリ１２３に格納されているデータ送信プログラムがプロセッサ１２１上で実行されると、プロセッサ１２１は、ディスプレイ装置３０から出力されるホットプラグ出力信号のレベルが遷移したときにカウントアップしたカウント値をワーキングメモリ１２５に記憶し、所定のタイミングでワーキングメモリ１２５にアクセスして上記カウント値を読み出し、予めプログラムメモリ１２３に記憶された閾値と大小比較することでカウント値が閾値以上であるか否かを判定し、カウント値が閾値以上であるときにディスプレイ装置３０に代替ＴＭＤＳデータ信号ＤALTを送信する。なお、プログラムメモリ１２３はフラッシュＲＯＭ等の書き換え可能なメモリであって、外部から送信されたプログラムデータを受信することでデータ送信プログラムを適宜バージョンアンプすることができる。プロセッサ１２１において、上述したような機能を実行するために、プロセッサ１２１は、カウント処理部１２２と、照合処理部１２４と、送信処理部１２６と、接続確認処理部１２８とを備えており、以下において各処理部の機能について詳説する。
【００２６】
カウント処理部１２２は、ディスプレイ装置３０から出力されたホットプラグ出力信号がハイレベルとなったか否かを判断する。カウント処理部１２２は、ホットプラグ出力信号がハイレベルになったと判断したときに、ホットプラグ出力信号がハイレベルからローレベルへ遷移したときの遷移回数をカウントして、そのカウント値をワーキングメモリ１２５に記憶する。カウント処理部１２２は、所定のタイミングでワーキングメモリ１２５にアクセスして、カウント値を読み出し、予めプログラムメモリ１２３に記憶された閾値（３回）と大小比較することでカウント値が閾値以上であるか否かを判定する。なお、遷移回数のカウントは、ホットプラグ出力信号がハイレベルからローレベルへ遷移した後にローレベルからハイレベルへ遷移したときの遷移回数をカウントしてもよい。
【００２７】
照合処理部１２４は、ディスプレイ装置３０からのＥＤＩＤ情報を取得し、ワーキングメモリ１２５に記憶する。照合処理部１２４は、所定のタイミングでワーキングメモリ１２５にアクセスして上記ＥＤＩＤ情報を読み出し、このＥＤＩＤ情報に基づいて、ディスプレイ装置３０が所定の仕様品に該当するか否かを照合する。ここで、「所定の仕様品」とは、ディスプレイ装置３０から出力されるホットプラグ出力信号をハイレベルとした後に、所定の時間（３秒）内にＡＶアンプ１０からディスプレイ装置３０へのＴＭＤＳデータ信号ＤTRUEが無い場合に、上記ホットプラグ出力信号をローレベルとし、その後、所定の時間経過（４秒）に再び上記ホットプラグ出力信号をハイレベルに戻すようなハイレベルとローレベルの間のレベルの遷移を繰り返す仕様の装置を意味する。
【００２８】
送信処理部１２６は、ＢＤプレーヤ２０から供給されたＴＭＤＳデータ信号ＤTRUEをディスプレイ装置３０に送信する機能を有する。また、送信処理部１２６は、照合処理部１２４の照合によりディスプレイ装置３０が上記所定の仕様品に該当し、かつ、カウント処理部１２２がカウントしたカウント値が閾値（３回）以上であると判断されたときに、以下の送信処理を行う。具体的には、送信処理部１２６は、代替ＴＭＤＳデータ信号ＤALTをディスプレイ装置３０に送信し、ＢＤプレーヤ２０から供給されたＴＭＤＳデータ信号ＤTRUEを受け取った後は、そのＴＭＤＳデータ信号ＤTRUEをディスプレイ装置３０に送信する。ここで、「代替ＴＭＤＳデータ信号ＤALT」とは、背景が青い状態を表示する所謂ブルーバック信号に対応する信号であり、アンプ送受信制御部１２内で生成される。
【００２９】
接続確認処理部１２８は、ＢＤプレーヤ２０からの接続確認用電圧の供給が有ると、接続確認用電源部１３を作動し、これにより、接続確認用電圧が接続確認電圧用ライン１８ｂに供給される。また、接続確認処理部１２８は、ディスプレイ装置３０からのホットプラグ出力信号がローレベルからハイレベルへと遷移したことを検知すれば、ＢＤプレーヤ２０へのホットプラグ出力信号をハイレベルとして、ホットプラグライン１５ａに供給する。
【００３０】
接続確認用電源部１３は、図示しない商用交流電源が供給されており、アンプ送受信制御部１２の接続確認処理部１２８の制御により、接続確認電圧用ライン１８ｂに接続確認用電圧を供給する。
【００３１】
［ＢＤプレーヤ２０の構成］
ＢＤプレーヤ２０は、ＨＤＭＩ規格に準拠した機器である。ＢＤプレーヤ２０は、コネクタ２１と、再生部２２と、プレーヤ送信制御部２３と、接続確認用電源部２４とを備えている。コネクタ２１にはＨＤＭＩケーブルを介して、ＡＶアンプ１０が接続される。なお、コネクタ２１にはＨＤＭＩケーブルを介してディスプレイ装置３０が直接接続されてもよい。
【００３２】
ＢＤプレーヤ２０は、ＨＤＭＩのラインとして、ホットプラグライン２５と、ＤＤＣライン２６と、ＴＭＤＳライン２７と、接続確認電圧用ライン２８とを備えている。
【００３３】
再生部２２は、プレーヤ送信制御部２３の制御により、ＢＤディスク（以下、単にディスクという。）に記録されている映像データ及び音声データをディスクから読み出して、プレーヤ送信制御部２３に供給する。
【００３４】
プレーヤ送信制御部２３は、再生部２２から供給された映像データ及び音声データをＴＭＤＳデータ信号ＤTRUEに変換し、ＡＶアンプ１０に送信する。プレーヤ送信制御部２３は、ＨＤＭＩケーブルがコネクタ２１に接続されると、接続確認電圧用ライン２８に接続確認用電圧が供給されるように接続確認用電源部２４を作動させる。また、プレーヤ送信制御部２３は、ＡＶアンプ１０からのホットプラグ出力信号がローレベルからハイレベルへ遷移したことを検知した場合には、上記のように再生部２２を作動させるように制御する。
【００３５】
接続確認用電源部２４は、図示しない商用交流電源が供給されており、プレーヤ送信制御部２３の制御により、接続確認電圧用ライン２８に接続確認用電圧を供給する。
【００３６】
［ディスプレイ装置３０の構成］
ディスプレイ装置３０は、ＨＤＭＩ規格に準拠した機器であり、ＡＶアンプ１０からのＨＤＭＩデータを受信するデータ受信装置である。ディスプレイ装置３０は、コネクタ３１と、ディスプレイ受信制御部３２と、表示部３３と、音声処理部３４とを備えている。コネクタ３１にはＨＤＭＩケーブルを介して、ＡＶアンプ１０が接続される。なお、コネクタ３１にはＨＤＭＩケーブルを介して、ＢＤプレーヤ２０が直接接続されてもよい。また、ここでは、ディスプレイ装置３０は、上記所定の仕様品であるものとして説明する。
【００３７】
ディスプレイ装置３０は、ＨＤＭＩのラインとして、ホットプラグライン３５と、ＤＤＣライン３６と、ＴＭＤＳライン３７と、接続確認電圧用ライン３８とを備えている。
【００３８】
ディスプレイ受信制御部３２は、出力処理部３２２と、ホットプラグＨＬ処理部３２４とを備える。出力処理部３２２は、ＡＶアンプ１０から供給されたＴＭＤＳデータ信号ＤTRUE又は代替ＴＭＤＳデータ信号ＤALTを受信する。出力処理部３２２は、受信したＴＭＤＳデータ信号ＤTRUE又は代替ＴＭＤＳデータ信号ＤALTから元の映像データを生成して、表示部３３に供給する。出力処理部３２２は、受信したＴＭＤＳデータ信号ＤTRUEから元の音声データを生成して、音声処理部３４に供給する。
【００３９】
ホットプラグＨＬ処理部３２４は、ＡＶアンプ１０からの接続確認用電圧の供給が有ると、ＡＶアンプ１０に対して出力されるホットプラグ出力信号をハイレベルとする。そして、ホットプラグＨＬ処理部３２４は、ホットプラグ出力信号をハイレベルとした後、所定の期間（３秒）内にＡＶアンプ１０からのＴＭＤＳデータ信号ＤTRUE又は代替ＴＭＤＳデータ信号ＤALTを受信しなければ、ホットプラグ出力信号をローレベルとし、その後所定の期間（４秒）経過後に再びホットプラグ出力信号をハイレベルに戻す処理を繰り返す機能を有する。
【００４０】
表示部３３は、供給された映像データを表示するものであり、ＬＣＤやＰＤＰ等である。音声処理部３４は、供給された音声データを、デコード処理、Ｄ／Ａ変換処理、増幅処理し、図示しないスピーカーに供給する。
【００４１】
続いて、上記構成のデータ送受信システム８のＡＶアンプ１０及びディスプレイ装置３０の動作について説明する。まず、図２を用いて、ディスプレイ装置３０の動作について説明する。図２は、ディスプレイ装置３０におけるホットプラグ出力信号の出力制御処理についてのフローチャートである。この各処理は、ディスプレイ受信制御部３２のホットプラグＨＬ処理部３２４の機能によって実行される。まず、ディスプレイ受信制御部３２のホットプラグＨＬ処理部３２４は、ディスプレイ装置３０の図示しない電源がＯＮされているか否かを判断する（Ｓ２）。ディスプレイ装置３０の電源がＯＮされていないと判断すれば、ＥＮＤ処理へと進む。
【００４２】
Ｓ２において、ディスプレイ装置３０の電源がＯＮされていると判断すれば、ＡＶアンプ１０から供給される接続確認用電圧の有無を判断する（Ｓ４）。ＡＶアンプ１０から接続確認用電圧が供給されていないと判断すれば、ＥＮＤ処理へと進む。
【００４３】
Ｓ４において、ＡＶアンプ１０から接続確認用電圧が供給されていると判断すれば、ディスプレイ装置３０から出力されるホットプラグ出力信号をハイレベルとする（Ｓ６）。その後、３秒以内にＡＶアンプ１０から送信されるＴＭＤＳデータ信号ＤTRUE又は代替ＴＭＤＳデータ信号ＤALTを受信したか否かを判断する（Ｓ８）。
【００４４】
Ｓ８において、ＡＶアンプ１０からのＴＭＤＳデータ信号ＤTRUE又は代替ＴＭＤＳデータ信号ＤALTを受信できなければ、ホットプラグ出力信号をローレベルにして、４秒後に再びハイレベルへと戻し（Ｓ１０）、その後再度Ｓ８の処理を行う。また、ＡＶアンプ１０からのＴＭＤＳデータ信号ＤTRUE又は代替ＴＭＤＳデータ信号ＤALTを受信できれば、ホットプラグ出力信号をハイレベルに維持したまま、ＥＮＤ処理へと進む。ここで、上記のようにディスプレイ装置３０から出力されるホットプラグ出力信号のレベルの遷移を繰り返す理由について説明する。上述したように、ホットプラグ出力信号のローレベルからハイレベルへの遷移をＡＶアンプ１０が検知することでディスプレイ装置３０が接続されていることを確認することができる。しかしながら、上記遷移をＡＶアンプ１０が１回で検知できない場合があり、ホットプラグ出力信号のローレベルからハイレベルへの遷移を何度も繰り返すことでＡＶアンプ１０が確実に検知できるようにするためである。
【００４５】
次に、ＡＶアンプ１０の動作について、図３を用いて説明する。図３は、ＡＶアンプ１０のＨＤＭＩデータの送受信処理を説明するフローチャートである。まず、プログラムメモリ１２３に格納されているデータ送信プログラムがプロセッサ１２１上で起動されると、プロセッサ１２１は、ディスプレイ装置３０からのホットプラグ出力信号がハイレベルとなったか否かを判断する（Ｓ２０）。ディスプレイ装置３０からのホットプラグ出力信号がハイレベルとなっていないと判断すれば、再びＳ２０へと戻る。この工程は、カウント処理部１２２の機能によって実行される。
【００４６】
Ｓ２０において、ディスプレイ装置３０からのホットプラグ出力信号がハイレベルとなったと判断すれば、ディスプレイ装置３０のＥＤＩＤ情報を取得し（Ｓ２２）、その後、ホットプラグ出力信号がハイレベルからローレベルへと遷移したか否かを判断する（Ｓ２４）。ホットプラグ出力信号がハイレベルからローレベルへと遷移していないと判断すれば、再びＳ２４へと戻る。この工程は、カウント処理部１２２及び照合処理部１２４の機能によって実行される。
【００４７】
Ｓ２４において、ホットプラグ出力信号がハイレベルからローレベルへと遷移したと判断した場合は、ホットプラグ出力信号の遷移回数のカウント値を１つカウントアップして、カウント値及びＥＤＩＤ情報をワーキングメモリ１２５に記憶し（Ｓ２６）、その後、所定のタイミングでワーキングメモリ１２５からカウント値及びＥＤＩＤ情報を読み出して、そのカウント値が３回以上であるか否かを判断する（Ｓ２８）。カウント値が３回以上でないと判断した場合には、再びＳ２２へと戻る。これらの工程は、カウント処理部１２２及び照合処理部１２４の機能によって実行される。
【００４８】
Ｓ２８において、カウント値が３回以上であると判断した場合には、取得した全てのＥＤＩＤ情報が同じであり、かつ、そのＥＤＩＤ情報がプログラムメモリ１２５に予め格納されている上記所定の仕様品に該当するか否かを照合する（Ｓ３０）。取得した全てのＥＤＩＤ情報が同じではなく、又は、そのＥＤＩＤ情報が上記所定の仕様品でないと判断した場合は、ＥＮＤ処理へと進む。この工程は、照合処理部１２４の機能によって実行される。
【００４９】
Ｓ３０において、取得した全てのＥＤＩＤ情報が同じであり、かつ、そのＥＤＩＤ情報が上記所定の仕様品であると判断した場合には、代替ＴＭＤＳデータ信号ＤALTを送信する（Ｓ３２）。その後、ＢＤプレーヤ２０へのホットプラグ出力信号をハイレベルし、ＢＤプレーヤ２０からＴＭＤＳデータ信号ＤTRUEが供給されてくるまで代替ＴＭＤＳデータ信号ＤALTを送信し続け、ＴＭＤＳデータ信号ＤTRUEが供給されてきたときは、そのＴＭＤＳデータ信号ＤTRUEをディスプレイ装置３０へ送信する。Ｓ３２の後はＥＮＤ処理を行う。これらの工程は、送信処理部１２６の機能によって実行される。
【００５０】
上記のようにデータ送信プログラムが実行されたときの作用について図４を用いて説明する。図４は、代替ＴＭＤＳデータ信号ＤALT又はＴＭＤＳデータ信号ＤTRUEと、ホットプラグ出力信号と、表示部３３の出力との関係を示すタイミングチャートである。ここで、ＡＶアンプ１０がホットプラグ出力信号のハイレベルを検知してから、ＢＤプレーヤ２０から供給されたＴＭＤＳデータ信号ＤTRUEをディスプレイ装置３０に送信するまでに必要な時間をｔ秒（ｔ秒＞３秒）、以下ではｔ秒は５秒として説明する。なお、図４では、ホットプラグ出力信号のハイレベル又はローレベルは、それぞれ、ハイレベル又はローレベルの信号に対応して表示されており、代替ＴＭＤＳデータ信号ＤALT又はＴＭＤＳデータ信号ＤTRUEは、それぞれ、データが送信されているときはハイレベルの信号となり、データが送信されていないときはローレベルの信号となる。
【００５１】
上記のように、ＡＶアンプ１０がホットプラグ出力信号のハイレベルを検知してからＴＭＤＳデータ信号ＤTRUEをディスプレイ装置３０に送信するまでに必要な時間ｔ秒が５秒であるため、ホットプラグ出力信号はローレベルとなる。そして、ＡＶアンプ１０が、このローレベルを検知すると、ＴＭＤＳデータ信号ＤTRUEの送信を停止する。したがって、データ送信プログラムが実行されていない場合は、ディスプレイ装置３０の表示部３３から全く映像が表示されていない状態が続いてしまうことになる。
【００５２】
しかしながら、データ送信プログラムが実行されている場合には、ディスプレイ装置３０から出力されるホットプラグ出力信号のハイレベルからローレベルへの遷移を３回検知し、さらに照合処理部１２４によってディスプレイ装置３０が上記所定の仕様品であると判断された場合には、図４に示されるようにディスプレイ装置３０に代替ＴＭＤＳデータ信号ＤALTを送信する。これにより、その後、ディスプレイ装置３０からのホットプラグ出力信号がハイレベルとなったときに、ディスプレイ装置３０の表示部３３にはブルーバック信号が表示される。また、ＢＤプレーヤ２０からのＴＭＤＳデータ信号ＤTRUEが供給されてくると、ディスプレイ装置３０にＴＭＤＳデータ信号ＤTRUEを送信するため、ディスプレイ装置３０の表示部３３にはブルーバック信号に代わってＴＭＤＳデータ信号ＤTRUEに含まれる映像が表示される。このように、本実施形態のＡＶアンプ１０を用いることで、ディスプレイ装置３０が上記所定の仕様品である場合にも確実に映像データを表示することができる。また、本実施形態のＡＶアンプ１０によれば、ホットプラグ出力信号のレベルの遷移とＥＤＩＤ情報の両方に基づいて、ディスプレイ装置３０が所定の仕様品であるか否かを判断しているため、その判断結果をより正確なものとすることができる。
【００５３】
なお、本発明は上述した実施形態および変形例に限定されるものではなく、本願の特許請求の範囲に記載された事項およびその均等な範囲において種々の改良や変更が可能である。
【００５４】
例えば、アンプ送受信制御部１２は、遷移回数のカウント値及びＥＤＩＤ情報に基づいて、ディスプレイ装置３０が上記所定の仕様品であるか否かを判断するものとして説明したが、遷移回数のカウント値のみに基づいて判断してもよい。このとき、カウント値と比較される閾値を適切な値とすることで所定の仕様品であるか否かの判断をより正確に行うことが好ましい。例えば、ホットプラグ出力信号のハイレベルからローレベルへの遷移が１回行われただけでもディスプレイ装置３０が所定の仕様品であると判断してもよいが、ＨＤＭＩケーブルが抜けた場合等が原因でホットプラグ出力信号がハイレベルからローレベルへの遷移することもあるため、所定の閾値を例えば３回となったときに所定の仕様品であると判断することが好ましい。
【００５５】
ＡＶアンプ１０にデータを供給する機器は、ＢＤプレーヤであるとして説明したが、もちろん、その他の機器であってもよく、例えば、ＤＶＤ（Ｄｉｇｔａｌ  Ｖｅｒｓａｔｉｌｅ  Ｄｉｓｃ）プレーヤやＣＤ（Ｃｏｍｐａｃｔ  Ｄｉｓｃ）プレーヤであってもよい。
【００５６】
伝送インターフェースとして、ＨＤＭＩを例示したが、その他の伝送方式を用いてもよい。例えば、ＤＶＩ（Ｄｉｇｔａｌ  Ｖｉｓｕａｌ  Ｉｎｔｅｒｆａｃｅ）規格の伝送方式を用いてもよい。また、上記ではケーブルを用いて機器同士を接続するものとして説明したが、無線伝送方式を用いることで無線によって機器同士を接続するものとしてもよい。
【００５７】
また、上記ＡＶアンプ１０では、ディスプレイ装置３０が上記所定の仕様品であると判断され、ＴＭＤＳデータ信号ＤTRUEを送信し、その後ディスプレイ装置３０からのホットプラグ出力信号がハイレベルとなったときにＢＤプレーヤ２０へのホットプラグ出力信号をハイレベルとするものとして説明したが、ＴＭＤＳデータ信号ＤTRUEの送信を開始した直後にＢＤプレーヤ２０へのホットプラグ出力信号をハイレベルとしてもよい。これにより、ブルーバック信号からＴＭＤＳデータ信号ＤTRUEに含まれる映像への切り替えを早めることができる。
【００５８】
上記では、ＡＶアンプ１０が本発明に係る実施形態のデータ送信装置であるものとして説明したが、ＨＤＭＩケーブルを用いてＢＤプレーヤ２０とディスプレイ装置３０とを直接接続したときには、ＢＤプレーヤ２０を本発明に係る実施形態のデータ送信装置としてもよい。
【符号の説明】
【００５９】
８  データ送受信システム、１０  ＡＶアンプ、１１，１４  コネクタ、１２  アンプ送受信制御部、１３  接続確認用電源部、１５ａ，１５ｂ  ホットプラグライン、１６ａ，１６ｂ  ＤＤＣライン、１７ａ，１７ｂ  ＴＭＤＳライン、１８ａ，１８ｂ  接続確認電圧用ライン、２０  ＢＤプレーヤ、２１  コネクタ、２２  再生部、２３  プレーヤ送信制御部、２４  接続確認用電源部、２５  ホットプラグライン、２６  ＤＤＣライン、２７  ＴＭＤＳライン、２８  接続確認電圧用ライン、３０  ディスプレイ装置、３１  コネクタ、３２  ディスプレイ受信制御部、３３  表示部、３４  音声処理部、３５  ホットプラグライン、３６  ＤＤＣライン、３７  ＴＭＤＳライン、３８  接続確認電圧用ライン、１２１  プロセッサ、１２２  カウント処理部、１２３  プログラムメモリ、１２４  照合処理部、１２５  ワーキングメモリ、１２６  送信処理部、１２８  接続確認処理部、３２２  出力処理部、３２４  ホットプラグＨＬ処理部。
【図１】
2014045394.tif 000003
【図２】
2014045394.tif 000004
【図３】
2014045394.tif 000005
【図４】
2014045394.tif 000006